(57)【要約】【課題】複数の単位電池の間に冷却媒体を均一に流通させることが可能な二次電池モジュールを提供すること。【解決手段】本発明の二次電池モジュール１００は，任意の間隔をおいて配列される複数の単位電池１１を含む単位電池集合体１３と；単位電池集合体１３を内蔵するハウジング３０と；ハウジング３０に設置されて，ハウジング３０内に流入した冷却媒体を複数の単位電池の間に案内する連通部材３７と；を含むことを特徴とする。かかる構成により，ハウジング内に流入した冷却媒体が，連通部材３７によって，複数の単位電池１１の間に案内されるので，複数の単位電池１１の間に冷却媒体を均一に流通させることができる。【選択図】図２
2006128124.tif 000002
【特許請求の範囲】
【請求項１】
任意の間隔をおいて配列される複数の単位電池を含む単位電池集合体と；
前記単位電池集合体を内蔵するハウジングと；
前記ハウジングに設置されて，前記ハウジング内に流入した冷却媒体を前記複数の単位電池の間に案内する連通部材と；
を含むことを特徴とする，二次電池モジュール。
【請求項２】
前記単位電池集合体は，前記各単位電池の間に配置される隔壁を含み，
前記隔壁に前記冷却媒体が通過する流通路が形成されることを特徴とする，請求項１に記載の二次電池モジュール。
【請求項３】
前記ハウジングは，分離結合可能な複数のサブハウジングを含み，
前記複数のサブハウジングのうちいずれか一つのサブハウジングに，前記単位電池の配列方向と平行な方向に前記冷却媒体が流入する流入口が形成されることを特徴とする，請求項１または２に記載の二次電池モジュール。
【請求項４】
前記ハウジングは，分離結合可能な複数のサブハウジングを含み，
前記複数のサブハウジングのうちいずれか一つのサブハウジングに，前記単位電池の配列方向と平行な方向に前記冷却媒体が流出する流出口が形成されることを特徴とする，請求項１〜３のいずれかに記載の二次電池モジュール。
【請求項５】
前記連通部材は，前記複数の単位電池の間の空間に対応する間隔をおいて前記ハウジング内に設置される複数のガイダーを含むことを特徴とする，請求項１〜４のいずれかに記載の二次電池モジュール。
【請求項６】
前記複数のガイダーは，前記単位電池集合体の前記冷却媒体の流通方向の両側に，対をなすように配置されることを特徴とする，請求項５に記載の二次電池モジュール。
【請求項７】
前記ガイダーは，前記ハウジングに一体に形成されることを特徴とする，請求項５または６に記載の二次電池モジュール。
【請求項８】
前記連通部材は，前記複数の単位電池の間の空間と連通する複数のガイド流路が形成された本体を含むことを特徴とする，請求項１〜７のいずれかに記載の二次電池モジュール。
【請求項９】
前記複数のガイダーの間の間隔は，前記冷却媒体が前記ハウジングに流入する側から遠くなるほど次第に広くなることを特徴とする，請求項５〜７のいずれかに記載の二次電池モジュール。
【請求項１０】
複数の前記単位電池がパッケージ部に装着されて単位電池グループを構成し，
前記単位電池集合体は，複数の前記単位電池グループが任意の間隔をおいて配列されて構成され，
前記連通部材は，前記冷却媒体を，前記複数の単位電池グループの間に案内することを特徴とする，請求項１〜９のいずれかに記載の二次電池モジュール。
【請求項１１】
前記単位電池は角形を有することを特徴とする，請求項１〜１０のいずれかに記載の二次電池モジュール。
【請求項１２】
前記単位電池は円筒形を有することを特徴とする，請求項１〜１０のいずれかに記載の二次電池モジュール。
【請求項１３】
前記冷却媒体は空気であることを特徴とする，請求項１〜１２のいずれかに記載の二次電池モジュール。
【請求項１４】
前記二次電池モジュールはモータ駆動用であることを特徴とする，請求項１〜１３のいずれかに記載の二次電池モジュール。
【発明の詳細な説明】
【技術分野】
【０００１】
本発明は，二次電池に関し，より詳しくは，複数の単位電池を連結して構成される二次電池モジュールの冷却構造に関する。
【背景技術】
【０００２】
一般に，二次電池（Ｓｅｃｏｎｄａｒｙ  Ｂａｔｔｅｒｙ）は，充電が不可能な一次電池とは異なり，充電及び放電が可能な電池であって，低容量電池は，携帯電話やラップトップコンピュータ，カムコーダーなどのような携帯可能な小型電子機器用電源として使用され，大容量電池は，ハイブリッド電気自動車などのモータ駆動用電源として幅広く使用されている。
【０００３】
このような二次電池は様々な形状からなるが，代表的な形状としては，円筒形，角形などがあり，大電力を必要とする機器，例えば上記ハイブリッド電気自動車などのモータ駆動用として使用される場合には，大容量の二次電池モジュールを構成するようになる。
【０００４】
このような電池モジュールは，通常は，直列に連結される複数の二次電池（以下，便宜上，「単位電池」という）からなる。上記各々の単位電池は，正極及び陰極がセパレータを間において位置する電極群と，この電極群が内蔵される空間を有するケースと，このケースに結合されて，これを密閉するキャップ組立体とを含む。ここで，単位電池が角形からなる場合には，上記キャップ組立体は，上記正極及び上記陰極に各々電気的に連結されつつ，上記ケースの内部及び外部にわたって配置される正極端子及び陰極端子を含む。
【０００５】
通常，この単位電池は，上記正極端子及び陰極端子が隣接する他の単位電池の正極端子及び陰極端子と交差するように交差配列された状態で，外周面の一部がねじ加工された上記正極端子及び上記陰極端子に導電体の連結具が締結されることによって互いに電気的に連結されて，二次電池モジュールを構成する。
【０００６】
この二次電池モジュールは，例えば数個から多くは数十個の単位電池が連結されて一つのモジュールを構成するので，各単位電池で発生する熱を容易に放出することができなければならず，特に，この二次電池モジュールが自動車（ハイブリッド電気自動車または電気自動車）のモータ駆動用に使用される場合には，上記熱の放出が何よりも重要であるといえる。
【０００７】
その理由は，二次電池モジュールにおいて熱の放出がうまく行われないと，二次電池モジュールの温度が各単位電池で発生する熱によって過度に上昇して，この二次電池モジュールが適用された機器の誤作動が発生するためである。
【０００８】
さらに，角形の単位電池からなる二次電池モジュールは，角形の構造的な特性によってその危険性がさらに大きい。
【０００９】
そのため，通常は，電池モジュールを構成する時には，単位電池と単位電池との間に隔壁を配置し，この隔壁によって形成される単位電池の間の空間を活用して，単位電池の冷却はもちろん，この単位電池が熱膨張して変形するのを防止するようにしている。
【発明の開示】
【発明が解決しようとする課題】
【００１０】
しかし，上記従来のような二次電池モジュールの冷却方式は，単位電池の間に提供される冷却用空気の流量が一定でないために，各単位電池の間に温度偏差が誘発されやすい。したがって，一般的な二次電池モジュールでは，複数の単位電池に対する冷却不均一によって単位電池の特性（例えば充放電特性）が極大化されず，さらにはモジュールそのものの充放電効率が低下するという問題点があった。
【００１１】
そこで，本発明は，上記問題に鑑みてなされたものであり，本発明の目的とするところは，複数の単位電池の間に冷却媒体を均一に流通させることが可能な，新規かつ改良された二次電池モジュールを提供することにある。
【課題を解決するための手段】
【００１２】
上記課題を解決するために，本発明のある観点によれば，任意の間隔をおいて配列される複数の単位電池を含む単位電池集合体と；単位電池集合体を内蔵するハウジングと；ハウジングに設置されて，ハウジング内に流入した冷却媒体を複数の単位電池の間に案内する連通部材と；を含むことを特徴とする，二次電池モジュールが提供される。
【００１３】
かかる構成により，ハウジング内に流入した冷却媒体が，連通部材によって，複数の単位電池の間に案内されるので，複数の単位電池の間に冷却媒体を均一に流通させることができる。
【００１４】
また，上記単位電池集合体は，各単位電池の間に配置される隔壁を含み，この隔壁に冷却媒体が通過する流通路が形成されるようにしてもよい。
【００１５】
また，上記ハウジングは，分離結合可能な複数のサブハウジングを含み，複数のサブハウジングのうちいずれか一つのサブハウジングに，単位電池の配列方向と平行な方向に冷却媒体が流入する流入口が形成されるようにしてもよい。
【００１６】
また，上記ハウジングは，分離結合可能な複数のサブハウジングを含み，複数のサブハウジングのうちいずれか一つのサブハウジングに，単位電池の配列方向と平行な方向に冷却媒体が流出する流出口が形成されるようにしてもよい。
【００１７】
また，上記連通部材は，複数の単位電池の間の空間に対応する間隔をおいてハウジング内に設置される複数のガイダーを含むようにしてもよい。
【００１８】
また，上記複数のガイダーは，単位電池集合体の冷却媒体の流通方向の両側に，対をなすように配置されるようにしてもよい。
【００１９】
また，上記ガイダーは，ハウジングに一体に形成されるようにしてもよい。
【００２０】
また，上記連通部材は，複数の単位電池の間の空間と連通する複数のガイド流路が形成された本体を含むようにしてもよい。
【００２１】
また，上記複数のガイダーの間の間隔は，冷却媒体がハウジングに流入する側から遠くなるほど次第に広くなるようにしてもよい。
【００２２】
また，上記複数の単位電池がパッケージ部に装着されて単位電池グループを構成し，単位電池集合体は，複数の単位電池グループが任意の間隔をおいて配列されて構成され，連通部材は，冷却媒体を，複数の単位電池グループの間に案内するようにしてもよい。
【００２３】
また，上記単位電池は角形を有するようにしてもよい。また，上記単位電池は円筒形を有するようにしてもよい。また，上記冷却媒体は空気であるようにしてもよい。また，上記二次電池モジュールはモータ駆動用であるようにしてもよい。
【発明の効果】
【００２４】
以上説明したように本発明によれば，冷却媒体の流通構造を改善して，複数の単位電池または複数の単位電池集合体の間の流通路に，一定の流量の冷却媒体を円滑に流通させることができる。このため，単位電池集合体の全領域にわたり，均一な温度分布で冷却可能になる。従って，単位電池集合体全体の冷却効率を極大化させ，この結果，充放電効率をさらに向上させる効果がある。
【発明を実施するための最良の形態】
【００２５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２６】
（第１の実施形態）
まず，本発明の第１の実施形態にかかる二次電池モジュールについて説明する。図１は，本実施形態にかかる二次電池モジュールを示した斜視図であり，図２は，本実施形態にかかる二次電池モジュールを示した断面図である。
【００２７】
図１，２を参照すれば，本実施形態にかかる二次電池モジュール１００は，所定の間隔をおいて連続配列される複数の単位電池１１を含む。
【００２８】
上記各々の単位電池１１は，セパレータ（図示せず。）を間においてその両側に正極（図示せず。）及び陰極（図示せず。）が配置される電極群を含み，予め設定された量の電力を充放電させる通常の構造の二次電池からなる。
【００２９】
本実施形態で，上記各々の単位電池１１は，例えば，外形がほぼ直方体（本実施形態では，一対の長辺及び一対の短辺を有する横幅の広い直方体）からなる。
【００３０】
このような各々の単位電池１１の間及び最外側の単位電池１１には，これら単位電池１１の間の間隔を一定に維持し，各単位電池１１の側面を支持するための隔壁（Ｃｅｌｌ  Ｂａｒｒｉｅｒ）１５がそれぞれ配置されている。
【００３１】
上記各々の隔壁１５には，単位電池１１の間に温度制御用冷却媒体の一例である空気，つまり単位電池１１の温度を制御するための比較的低い温度の冷却用空気を流通させる流通路１７が形成されている。この流通路１７は，隔壁１５に対して単位電池１１の高さ方向に，隔壁１５の本体に貫通形成される少なくとも一つのトンネル形状を有する貫通孔（例えば断面が四角形）からなる。
【００３２】
本実施形態において，複数の単位電池１１は，隔壁１５によって所定の間隔をおいて連続配列されて，これら単位電池１１の間の隔壁１５に温度制御用空気を流通させることができる構造の単位電池集合体１３を構成することができる。この時，この単位電池１１及び隔壁１５は，図示していない締結手段によって一つのアセンブリーを構成することができる。この締結手段は，例えば，上記集合体１３において最外郭両側に各々配置されるエンドプレート（Ｅｎｄ  Ｐｌａｔｅｓ）と，このエンドプレートにねじ結合されて上記単位電池１１及び隔壁１５を固定するリストレイントロッド（Ｒｅｓｔｒａｉｎｔ  Ｒｏｄ）とから構成される。
【００３３】
このような単位電池集合体１３は，二次電池モジュール１００に含まれるハウジング３０内に内蔵される。この単位電池集合体１３は，図示してはいないが，別途のブラケットや上記エンドプレートがハウジング３０に着脱可能に結合されることによって，上記ハウジング３０に固定設置されるようになる。
【００３４】
本実施形態で，このハウジング３０は，例えば上下に分離可能な２個のサブハウジング３０ａ，３０ｂからなり，これらはねじ結合やその他の締結手段によって分離または固定可能である。
【００３５】
このようなハウジング３０は，その内部空間に単位電池集合体１３を内蔵して二次電池モジュール１００の外形を形成するだけでなく，その外部から内部に冷却媒体である冷却用空気を流通させて，単位電池集合体１３の単位電池１１で発生する熱が冷却されるようにする冷却装置としての機能もする。
【００３６】
本実施形態で，ハウジング３０は，上記ように単位電池集合体１３を固定設置するための収容空間を含み，二次電池モジュール１００の外形全体を形成するサブハウジング３０ａ，３０ｂを含む。
【００３７】
さらに，ハウジング３０は，上記冷却用空気がその内部に流入したり，その内部から流出することができるようにするために，流入口３０ｃ及び流出口３０ｄを含む。
【００３８】
本実施形態では，例えば，上記流入口３０ｃは，サブハウジング３０ａに形成され，流出口３０ｄはサブハウジング３０ａに形成されているが，逆に配設されてもよい。また，これら流入口３０ｃ及び流出口３０ｄの双方は，ハウジング３０の一側に配置されるようにしてサブハウジング３０ａ，３０ｂに形成されている。
【００３９】
このハウジング３０内には，単位電池１１の間の各流通路１７と個別に連通する流路を確保する連通部材３７が設置される。
【００４０】
この連通部材３７は，ハウジング３０に一体に形成されることもでき，別途の本体に形成されてこのハウジング３０に別途の連結手段によって設置されることもできる。本実施例では，一体に形成される場合を示している。
【００４１】
本実施形態において，連通部材３７は，例えば，ガーダー（Ｇｉｒｄｅｒ；桁，梁）のような形状を有し，各サブハウジング３０ａ，３０ｂに一体に設置される複数のガイダー（案内部材）３７ａ，３７ｂからなる。
【００４２】
このガイダー３７ａ，３７ｂは，内部空間を有する縦断面コの字形の形状を有し，単位電池１１の上部または下部それぞれに設置されて，単位電池１１の上部または下部をカバーする。かかる構造により，ガイダー３７ａ，３７ｂは，各隔壁１５に対応して所定間隔で配置されるようになる。この上部の各ガイダー３７ａは，外部から供給された冷却媒体が各隔壁１５の流通路１７に均等に流入するように案内する流入側案内部材として機能し，下部の各ガイダー３７ｂは，各隔壁１５の流通路１７を流通した冷却媒体が均等に排出されるように案内する流出側案内部材として機能する。
【００４３】
一方，ハウジング３０の流入口３０ｃには，冷却媒体供給部３８が連結設置される。この冷却媒体供給部３８としては，例えば，所定の回転力で空気を吸入してこの空気をハウジング３０の内部に噴出することができるファンや，空気送風が可能なポンプまたはブロワーなどの多様な手段を適用できる。
【００４４】
上記のように構成される本発明の第１実施形態による二次電池モジュール１００によれば，冷却媒体供給部３８によって流入口３０ｃに流入する温度制御用空気は，単位電池１１の配列方向と平行な方向に流動しながら，上側サブハウジング３０ａ内に設置された上側ガイダー３７ａの間の空間に誘導されて，隔壁１５内の流通路１７を通過するようになる。
【００４５】
この過程で，各々の単位電池１１で発生した熱が上記空気によって熱交換されるようになり，上記熱交換された空気は，下側サブハウジング３０ａ内に設置された下側ガイダー３７ｂの間の空間から排出されて，流出口３０ｄを通じてハウジング３０の外部に抜け出るようになる。
【００４６】
上記冷却用空気の流通過程をより具体的に見てみると，二次電池モジュール１００において，ガイダー３７ａ，３７ｂは，ハウジング３０の内部に，隣接するガイダー３７ａ，３７ｂで仕切られる特別な空間を形成し，ハウジング３０の内部に流入してくる冷却用空気の最初の流入方向に対して垂直方向に設置されている。このため，ガイダー３７ａは，上記冷却用空気が隔壁１５に形成された流通路１７に流入するように，当該冷却用空気をガイドする。従って，単位電池１１の間には，この単位電池１１の長さや断面積などに応じて所定の流量の空気が提供されるようになる。
【００４７】
これによって，各単位電池１１で発生する熱は均一な温度分布となるように冷却され，これによって単位電池集合体１３は全領域に対して適切な温度を維持しながら良好な電池特性を示すことができる。
【００４８】
また，ガイダー３７ａ，３７ｂは，各単位電池１１の間に冷却用空気を誘導して流通路１７に供給したり，流通路１７を通過した熱交換された空気を流出口３０ｄに誘導したりする時に，上記のように，相隣接するガイダー３７ａ，３７ｂの間の空間，つまり一つの空間を通じて複数の流通路１７に提供されるようにすることもできるし，或いは，図３に示したように，例えば，全ての単位電池１１に対応する連通部材４１が一体に形成されて本体（ボディー）をなし，この連通部材４１の本体に垂直方向に貫通形成される複数のガイド流路４１ａが，単位電池１１間の各隔壁１５に形成される上記複数の流通路１７と一対一で対応して配置されることによっても，上記作用を奏することができる。
【００４９】
（第２の実施形態）
図４は本発明の第２実施形態にかかる二次電池モジュールを示した断面図である。
【００５０】
図４を参照すれば，この第２実施形態による二次電池モジュール２００は，上記第１実施形態の構造を基本構造としながら，上記第１実施形態とは異なる構造によって冷却用空気が各単位電池４３の間に均等に提供されるようにしている。
【００５１】
これは，単位電池集合体４５及びハウジング４７の構造的な特性を考慮したものである。つまり，単位電池４３が任意の間隔をおいて配列される場合に，ハウジング４７に流入した空気が流入口４７ｃに近い側から遠い側に流動されながら単位電池４３の間に提供されるとき，流入口４７ｃに近い側に配置された単位電池４３の間に提供される冷却用空気の量より，流入口４７ｃに遠い側に配置された単位電池４３の間に提供される冷却用空気の量が少なくなってしまうという点を考慮している。
【００５２】
このために，第２実施形態では，単位電池集合体４５を構成する時に，単位電池４３の間の間隔がハウジング４７の流入口４７ｃから離れるほど広くなるようにしている。また，単位電池４５の間に配置される隔壁４９は，その内部に形成される流通路５１の総断面積がハウジング４７の流入口４７ｃから離れるほど次第に大きくなるようにしている。
【００５３】
さらに，単位電池集合体４５の上下に配置される連通部材５３も，上記のような単位電池４３の配列関係に対応して，そのガイダー５３ａ，５３ｂが単位電池４３上に設置されている。つまり，ガイダー５３ａ，５３ｂも，流入口４７ｃから離れるほど次第に，相隣接するガイダー５３ａ，５３ｂ間の間隔が広くなるように設置されている。
【００５４】
この第２の実施形態にかかる二次電池モジュール２００のその他の機構構成は，上記第１実施形態と略同一なので，詳しい説明は省略する。
【００５５】
上記のように構成される二次電池モジュール２００によれば，ハウジング４７の流入口４７ｃを通じてハウジング４７の内部に流入する冷却用空気は，単位電池４３の配列方向と平行な方向に流動しながら，単位電池集合体４５の上側に設置された上側ガイダー５３ａの間の空間に誘導されて，単位電池４３の間に配置された隔壁４９内の流通路５１を通過するようになる。
【００５６】
この過程で，各々の単位電池４３で発生した熱が流通路５１を通過する空気によって熱交換され，この熱交換された空気は，単位電池集合体４５の下側に設置された下側ガイダー５３ｂの間の空間を通じて誘導されて，単位電池４３の配列方向と平行で，上記最初の空気流入方向と反対の方向に流動しながら，流出口４７ｄを通じてハウジング４７の外部に抜け出るようになる。
【００５７】
この過程で，各単位電池４３の間に提供される冷却用空気の流速が流入口４７ｃから遠くなるにつれ遅くなっても，この冷却用空気が流入する単位電池４３の間の開口率は流入口４７ｃから遠くなるほど拡張されているので，各単位電池４３の間に提供される冷却用空気の流量は実質的に均一になる。したがって，単位電池集合体４５の各単位電池４３で発生する熱は均一な温度分布で冷却されるようになり，それによって単位電池集合体４５はその全領域に対する温度を予め設定された適切な温度に維持するようになる。
【００５８】
一方，この第２実施形態では，連通部材のガイダー５３ａ，５３ｂの間の間隔を，ハウジング４７内の単位電池４３の位置に応じて異なるようにして，単位電池集合体４５の全体の温度が均一になるようにしたが，かかる例に限定されない。例えば，第２実施形態の変更例では，連通部材のガイダーの間の間隔を一定に維持して，このガイダーの各幅を異なるようにして，単位電池集合体の全体の温度を均一になるようにすることも可能である。
【００５９】
さらに，この第２実施形態の他の変更例では，連通部材のガイダーの構造を上記図３の構造にすることも可能である。また他の変更例では，上記第２実施形態のように単位電池の間の間隔及び連通部材のガイダーの間の間隔の両方を単位電池集合体の位置に応じて異ならせずに，単位電池の間の間隔は一定にして連通部材のガイダーの間の間隔だけを単位電池集合体の位置に応じて異なるようにすることも可能である。
【００６０】
（第３の実施形態）
図５は本発明の第３実施形態にかかる二次電池モジュールを示した縦断面図である。
【００６１】
図５を参照すれば，本実施形態による二次電池モジュール３００は，複数の単位電池６１を所定の間隔で配列して構成される少なくとも二つ以上の単位電池グループ６３と，これら単位電池グループ６３を所定の間隔で離隔されるように内蔵して，外部から流入した温度制御用空気を上記各単位電池グループ６３の間に流通させて，外部に流出するように構成されたハウジング６５とを含む。
【００６２】
この第３実施形態で，単位電池６１は円筒形からなり，パッケージ部６７に複数が装着されて一つの単位電池グループ６３を構成する。この単位電池グループ６３は，所定の間隔をおいて連続配列されて単位電池集合体６４を構成する。
【００６３】
パッケージ部６７は，絶縁性があって熱伝導性が比較的良好な材質からなるケースであり，単位電池６１が挿入される複数の挿入孔６７ａが形成されている。単位電池６１は，例えば，この挿入孔６７ａに嵌合挿入方式で挿入されたり，別途の固定手段によってパッケージ部６７に固定されたりすることができる。
【００６４】
この第３実施形態では，ハウジング６５は，上記実施形態のように上下に分離結合可能なサブハウジング６５ａ，６５ｂからなる。このサブハウジング６５ａには，ハウジング６５の外部から冷却用空気が流入するための流入口６５ｃが形成され，サブハウジング６５ｂには，ハウジング６５の内部で熱交換された空気が流出するための流出口６５ｄが形成されている。
【００６５】
ここで，ハウジング６５の具体的な構造や単位電池グループ６３の配列構造は，ハウジング６５が複数の単位電池グループ６３を収容することができ，これらの単位電池グループ６３が，当該単位電池グループ６３間に流通路６９が形成されるように任意の間隔をおいて配列される構造であれば，特に限定されない。
【００６６】
また，この第３実施形態による二次電池モジュール３００にも，単位電池グループ６３相互間の空間の流通路６９と連通される空気移動チャンネルを確保するための連通部材７１がサブハウジング６５ａ，６５ｂに設置されている。また，流入口６５ｃには冷却媒体供給部７３が連結設置されている。
【００６７】
ここで，連通部材７１及び冷却媒体供給部７３の具体的な構造は，上記第１実施形態と略同一とすることができる。さらに，単位電池グループ６３及び連通部材７１のガイダー７１ａ，７１ｂの配列関係としては，上記第２実施形態の単位電池及び連通部材のガイダー５３ａ，５３ｂと同一な方式を適用できる。
【００６８】
このように構成される第３の実施形態にかかる二次電池モジュール３００も，第１実施形態による二次電池モジュール１００と同様にして，ハウジング６５の外部から流入する冷却用空気を，単位電池グループ６３の間に通過させて，熱交換による単位電池６１の冷却を行い，熱交換された空気をハウジング６５から流出するようになる。
【００６９】
図６は本発明の第３実施形態の変形例による二次電池モジュール４００を示した縦断面図である。
【００７０】
この変形例による二次電池モジュール４００は，上記で説明した第３実施形態の構造を基本にしつつ，各単位電池グループ８１の配列関係を図４に示した二次電池モジュール２００の単位電池４３の配列関係に相応するようにしている。
【００７１】
つまり，この二次電池モジュール４００において，複数の単位電池８５からなる単位電池グループ８１は，ハウジング８３内に配列される時に，ハウジング８３の流入口８３ｃから遠くなるほど，相互の間隔が次第に大きくなるように配列されている。この二次電池モジュール４００での単位電池８５の冷却作用は，図４を参照して上記で説明した作用に準ずるので，その詳しい説明は省略する。
【００７２】
以上のように構成される本発明の第１〜第３実施形態及び変形例による二次電池モジュールは，例えば，高出力を必要とするハイブリッド電気自動車（ＨＥＶ），電池自動車（ＥＶ），無線掃除機，電動自転車，電動スクーターなどのようなモータ駆動用電源として使用することができるようになる。
【００７３】
図７は，図１〜図６に示した二次電池モジュール（バッテリモジュール）１００，２００，３００，４００がモータ９１を駆動することを概略的に示したブロック図である。
【００７４】
以上のように，本実施形態にかかる二次電池モジュール１００，２００，３００，４００によれば，冷却用媒体の一例である冷却用空気の流通構造を改善して，複数の単位電池１１，４３の間の流通路１７，５１，または複数の単位電池集合体６４の間の流通路６９に，所定の流量の空気を円滑に流通させることによって，単位電池集合体１３，４５，６４の全領域にわたって均一な温度分布で冷却可能になる。従って，かかる二次電池モジュール１００，２００，３００，４００は，単位電池集合体全体の冷却効率を極大化させ，それによって充放電効率をさらに向上させる効果がある。
【００７５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００７６】
【図１】本発明の第１の実施形態にかかる二次電池モジュールを示した斜視図である。
【図２】同実施形態にかかる二次電池モジュールを示した断面図である。
【図３】同実施形態にかかる二次電池モジュールの変更例を示す斜視図である。
【図４】本発明の第２の実施形態にかかる二次電池モジュールを示した断面図である。
【図５】本発明の第３の実施形態にかかる二次電池モジュールを示した断面図である。
【図６】同実施形態にかかる二次電池モジュールの変更例を示す断面図である。
【図７】本発明の第１〜３の実施形態及び変更例にかかる二次電池モジュールがモータを駆動することを概略的に示すブロック図である。
【符号の説明】
【００７７】
１００，２００，３００，４００    二次電池モジュール
１１，４３，６１，８５    単位電池
１３，４５，６４    単位電池集合体
１５，４９    隔壁
１７，５１，６９    流通路
３０，４７，６５    ハウジング
３０ａ，３０ｂ，４７ａ，４７ｂ，６５ａ，６５ｂ，８３ａ，８３ｂ，    サブハウジング
３０ｃ，４７ｃ，６５ｃ，８３ｃ    流入口
３０ｄ，４７ｄ，６５ｄ，８３ｄ    流出口
３７，４１，５３，７１    連通部材
３７ａ，３７ｂ，５３ａ，５３ｂ，７１ａ，７１ｂ    ガイダー
４１ａ    ガイド流路
３８，７３    冷却媒体供給部
６３，８１    単位電池グループ
６７    パッケージ部
６７ａ    挿入孔
【図１】
2006128124.tif 000003
【図２】
2006128124.tif 000004
【図３】
2006128124.tif 000005
【図４】
2006128124.tif 000006
【図５】
2006128124.tif 000007
【図６】
2006128124.tif 000008
【図７】
2006128124.tif 000009